(57)【要約】【課題】演出の幅を広げることが可能な遊技者用の押しボタン式入力装置を備えた遊技機を提供する。【解決手段】押しボタン式入力装置115は、第１位置と外方に突き出た第２位置とに変位可能な可動台座ボタン24と、可動台座ボタン24を第１〜第２位置に変位させ得る第１移動手段18と、上面位置が可動台座ボタン24と略同レベルに設定され平面視で可動台座ボタン24の内側に島状に配設されており、第１、第２位置と、可動台座ボタン24より突き出た第３位置とに変位可能な可動スイッチボタン124と、可動スイッチボタン124を常時外方に向けて付勢するボタン付勢手段125と、可動スイッチボタン124を第１〜第２位置に変位させる一方その逆にも変位させ得る第２移動手段18と、可動スイッチボタン124を第３位置に変位させ得る第３移動手段118とを備えてなる。【選択図】        図２１
2015029549.tif 000002
【特許請求の範囲】
【請求項１】
遊技者用の押しボタン式入力装置を機前のボタン装着部に装着してなる遊技機であって、
前記押しボタン式入力装置は、
第１位置と、それより外方に突き出た第２位置と、に変位可能な可動台座ボタンと、
該可動台座ボタンを前記第１位置から前記第２位置に変位させる一方その逆にも変位させ得る第１移動手段と、
上面の位置が前記可動台座ボタンの上面と略同レベルに設定されると共に平面視で前記可動台座ボタンの内側に島状に配設されており、前記第１位置と、前記第２位置と、前記可動台座ボタンの上面より外方に突き出た第３位置と、に変位可能な可動スイッチボタンと、
該可動スイッチボタンを常時外方に向けて付勢すると共に手で押されて変位した可動スイッチボタンを自己の付勢で復動させ得るボタン付勢手段と、
少なくとも前記可動スイッチボタンの前記手で押された変位を検知する入力検知手段と、
該可動スイッチボタンを前記第１位置から前記第２位置に変位させる一方その逆にも変位させ得る第２移動手段と、
該可動スイッチボタンを前記第３位置に変位させる一方その逆にも変位させ得る第３移動手段と、を備えていることを特徴とする遊技機。
【発明の詳細な説明】
【技術分野】
【０００１】
本発明は、遊技者用の押しボタン式入力装置を機前のボタン装着部に装着してなる遊技機に関する。
【背景技術】
【０００２】
遊技者用の押しボタン式入力装置を機前のボタン装着部に装着してなる遊技機が例えば特許文献１に記載されている。
この特許文献１に記載された遊技機の押しボタン式入力装置の概略を、図２５により説明する。
【０００３】
図２５（ａ１）、（ｂ１）において二点鎖線Ｌは、例えばパチンコ機の機前に設けられた球皿ユニットの操作パネル或はスロットマシン前面の操作パネルの上面ラインを示すものであり、押しボタン式入力装置は、かかる操作パネルに開口するボタン装着部１００に、後述する可動ボタン１０１が外部に臨むような状態で装着されている。
【０００４】
特許文献１の押しボタン式入力装置は、演出的要素を含むものであって、前記ボタン装着部１００内に固定的に取り付けられる固定基台１０２と、その固定基台１０２に上下動可能な状態に支持されるボタンユニット１０３と、そのボタンユニット１０３を上下動させるユニット移動手段１０４と、から概略構成される。
【０００５】
前記固定基台１０２は、短円柱形の固定部品であり、その中央にユニット移動手段１０４の一部を構成する正逆回転可能なモーター等の駆動部材１０５が固着され、また、その駆動部材１０５の両横にユニット移動手段１０４の一部を構成する丸棒状のガイド支柱１０６，１０６が二本上向きに立設されている。また、固定基台１０２には、ボタンユニット１０３の後述する可動ボタン１０１の押し込みを検知するセンサー１０７が取り付けられている。なお、このセンサー１０７は、可動ボタン１０１に被検知部として形成された図示しない下向き舌片を光学式に検知するものであり、この下向き舌片との組合せで可動ボタン１０１の押し込みを検知する入力検知手段が構成されている。
【０００６】
前記ボタンユニット１０３は、前記固定基台１０２のガイド支柱１０６，１０６に上下摺動可能且つ回転不能に支持されたドーナツ円板形の可動基台１０８と、その可動基台１０８の上面に載置されたボタン付勢手段たる短いボタン用スプリング１０９，１０９と、そのボタン用スプリング１０９，１０９の上に載置され且つ前記ガイド支柱１０６，１０６に上下摺動可能且つ回転不能に支持された略中空円柱形状（正確には、逆さカップ形状のボタン主体１０１ａの底面に、ドーナツ円板形のガイド蓋１０１ｂを取り付けたもの）の可動ボタン１０１と、からなる。
【０００７】
前記ユニット移動手段１０４は、固定基台１０２に立設された前記ガイド支柱１０６，１０６と、そのガイド支柱１０６，１０６に圧縮状態に装着されて前記ボタンユニット１０３を押し上げ方向に付勢する基台付勢手段たる長い基台用スプリング１１０，１１０と、前記駆動部材１０５の出力軸１０５ａに固着されて前記ガイド支柱１０６と平行な上下方向に回転軸線を向け且つ側周面１１１ａに図２５（ａ２），（ｂ２）に示した展開状態で上から下に向かって幅広に変化する溝形状のカム溝１１２を設けた円柱カム１１１と、前記ボタンユニット１０３の可動基台１０８の下面に円柱カム１１１のカム溝１１２に向けて突設したローラー型のカムフォロア１１３と、からなる。
また、前記円柱カム１１１のカム溝１１２は、カム面を構成する第１溝壁１１２ａが上下方向に対して適宜傾斜し、他方の第２溝壁１１２ｂが上下方向にほぼ真っ直ぐに形成されている。
【０００８】
上記従来の押しボタン式入力装置は、図２５（ａ１），（ａ２）のように可動基台１０８のカムフォロア１１３が円柱カム１１１の下端面に係合することで、ボタンユニット１０３が長い基台用スプリングの付勢に抗して第１位置に係留される。この第１位置が通常時の状態に設定されており、この状態で遊技者が遊技上必要なタイミングで可動ボタン１０１を押し込んで離すと、該可動ボタン１０１が短いボタン用スプリング１０９，１０９の付勢に抗して下動し、その可動ボタン１０１の下動が入力検知手段たる固定基台１０２側のセンサー１０７で検知され、さらに短いボタン用スプリング１０９，１０９の付勢により元の位置に戻る。
【０００９】
一方、遊技が、例えば特別なステージに移行するなどしたことを契機として、円柱カム１１１を図２５（ａ２）に矢示した正回転方向に回転させると、円柱カム１１１の下端面１１１ｂに接していたカムフォロア１１３の上にカム溝１１２の傾斜した第１溝壁１１２ａが臨む。そうするとカムフォロア１１３が、長い基台用スプリング１１０の付勢により第１溝壁１１２ａに摺接しながら一定の速度で上昇し、図２５（ｂ１），（ｂ２）のようにカム溝１１２の上端に至って停止する。したがってボタンユニット１０３は、所定の速度で図２５（ａ１）の第１位置から図２５（ｂ１）の第２位置に変化する。
また、円柱カム１１１を図２５（ａ２）の状態から同図に矢示した逆回転方向に回転させると、円柱カム１１１の下端面１１１ｂに接していたカムフォロア１１３の上にカム溝１１２の上下方向に真っ直ぐな第２溝壁１１２ｂが臨む。そうするとカムフォロア１１３は、長い基台用スプリング１１０の付勢により第２溝壁１１２ｂに殆ど接することなくノーブレーキ状態でカム溝１１２の上端に至って止まる。したがってボタンユニット１０３は、図２５（ａ１）の第１位置から図２５（ｂ１）の第２位置に瞬時に変化する。
【００１０】
ボタンユニット１０３が第２位置の突出状態にあることが、特別なステージに移行したことのシンボル的な状態であることを知る遊技者は、大きな達成感・満足感を得て可動ボタン１０１を押し込む。そうすると、長い基台用スプリング１１０，１１０の付勢に抗して可動ボタン１０１がボタンユニット１０３ごと第１位置まで一気に下動し、その可動ボタン１０１がさらに短いボタン用スプリング１０９をも押し縮めて可動基台１０８に接近すると、その可動ボタン１０１の下動がセンサー１０７で検知される。
そして、遊技者が可動ボタン１０１から手を離すと、短いボタン用スプリング１０９，１０９と長い基台用スプリング１１０，１１０が共に復動してボタンユニット１０３が前記第２位置まで瞬時に戻る。
【００１１】
一方、遊技の特別なステージが終了すると、所定のプログラムに従い、図２５（ｂ１），（ｂ２）の状態から図２５（ｂ２）矢示のように円柱カム１１１が逆回転方向に回転する。そうすると、カムフォロア１１３がカム溝１１２の第１溝壁１１２ａの傾斜に押されて下動し、最終的に該カムフォロア１１３が円柱カム１１１の下端面１１１ｂに当接して図２５（ａ１），（ａ２）の第１位置に戻る。
【００１２】
以上の構成である従来の押しボタン式入力装置は、ボタンユニット１０３が突出した第２位置にあるとき、可動ボタン１０１を第１位置まで押し下げることはもちろん、それよりさらに深く押し込む必要があって操作ストロークが長いため、押し込み不足により入力検知手段が正常に作動しなかったり、或は押し込み開始から検知までの時間が長すぎてタイミングを逸する、などの問題があった。
【先行技術文献】
【特許文献】
【００１３】
【特許文献１】特開２０１３−１１６１６９号公報
【発明の概要】
【発明が解決しようとする課題】
【００１４】
従来の押しボタン式入力装置は、一つの可動ボタンを第１位置と第２位置とに変化させる演出が中心であり、したがって演出態様が単調になる問題点があった。
【００１５】
本発明は、上記に鑑みなされたもので、その目的は、演出の幅を広げることが可能な押しボタン式入力装置を備えた遊技機を提供することにある。
【課題を解決するための手段】
【００１６】
請求項１に記載したように、遊技者用の押しボタン式入力装置を機前のボタン装着部に装着してなる遊技機であって、
前記押しボタン式入力装置は、
第１位置と、それより外方に突き出た第２位置と、に変位可能な可動台座ボタンと、
該可動台座ボタンを前記第１位置から前記第２位置に変位させる一方その逆にも変位させ得る第１移動手段と、
上面の位置が前記可動台座ボタンの上面と略同レベルに設定されると共に平面視で前記可動台座ボタンの内側に島状に配設されており、前記第１位置と、前記第２位置と、前記可動台座ボタンの上面より外方に突き出た第３位置と、に変位可能な可動スイッチボタンと、
該可動スイッチボタンを常時外方に向けて付勢すると共に手で押されて変位した可動スイッチボタンを自己の付勢で復動させ得るボタン付勢手段と、
少なくとも前記可動スイッチボタンの前記手で押された変位を検知する入力検知手段と、
該可動スイッチボタンを前記第１位置から前記第２位置に変位させる一方その逆にも変位させ得る第２移動手段と、
該可動スイッチボタンを前記第３位置に変位させる一方その逆にも変位させ得る第３移動手段と、を備えている遊技機を提供する。
【発明の効果】
【００１７】
本発明の遊技機は、可動台座ボタンと可動スイッチボタンを第１位置から第２位置に移動させた状態から、さらに可動スイッチボタンのみを第３位置に移動させることができるため、押しボタン式入力装置による演出の幅を広げることが可能になる。
【図面の簡単な説明】
【００１８】
【図１】スロットマシンの斜視図である。
【図２】基礎形態１の押しボタン式入力装置の分解斜視図である。
【図３】基礎形態１の押しボタン式入力装置の正面図である。
【図４】基礎形態１の押しボタン式入力装置の長手方向縦断面図である。
【図５】基礎形態１の押しボタン式入力装置の短手方向縦断面図である。
【図６】図５の可動ボタンを押し込んだ状態を示す短手方向縦断面図である。
【図７】基礎形態１のボタンユニットを第２位置に切り替えた状態を示す押しボタン式入力装置の長手方向縦断面図である。
【図８】基礎形態１のボタンユニットを第２位置に切り替えた状態を示す押しボタン式入力装置の短手方向縦断面図である。
【図９】図８の可動ボタンを押し込んだ状態を示す短手方向縦断面図である。
【図１０】基礎形態１のユニット移動手段たる端面カムと回転カムフォロアの組み合わせを示すもので、（ａ）はボタンユニットが第１位置にある状態の展開図、（ｂ）はボタンユニットが第２位置にある状態の展開図である。
【図１１】ユニット移動手段たる端面カムと回転カムフォロアの基礎形態２の組み合わせを示すもので、（ａ）はボタンユニットが第１位置にある状態の展開図、（ｂ），（ｃ）はボタンユニットが第２位置にある状態の展開図である。
【図１２】（ａ）は図１１の上段の回転カムフォロアと駆動部材の回転軸との関係を示す断面図、（ｂ）は図１１の下段の回転カムフォロアと駆動部材の回転軸との関係を示す断面図である。
【図１３】（ａ１），（ｂ１）は基礎形態３を示す押しボタン式入力装置の正面図、（ａ２），（ｂ２）は円柱カムの展開図である。
【図１４】（ａ１），（ｂ１）は基礎形態４を示す押しボタン式入力装置の正面図、（ａ２），（ｂ２）は円柱カムの展開図である。
【図１５】押しボタン式入力装置の正面図である。
【図１６】押しボタン式入力装置の平面図である。
【図１７】押しボタン式入力装置の長手方向縦断面図である。
【図１８】押しボタン式入力装置の短手方向縦断面図である。
【図１９】図１７を分解して示す長手方向縦断面図である。
【図２０】台座ボタンユニットと可動スイッチボタンユニットを第２位置に切り替えた状態を示す押しボタン式入力装置の長手方向縦断面図である。
【図２１】可動スイッチボタンユニットを第３位置に切り替えた状態を示す押しボタン式入力装置の長手方向縦断面図である。
【図２２】台座ボタンユニットと可動スイッチボタンユニットが第１位置にある状態を示す端面カムと回転カムフォロアの要部展開図である。
【図２３】台座ボタンユニットと可動スイッチボタンユニットが第２位置にある状態を示す端面カムと回転カムフォロアの要部展開図である。
【図２４】可動スイッチボタンユニットが第３位置にある状態を示す端面カムと回転カムフォロアの要部展開図である。
【図２５】従来技術を示すもので、（ａ１），（ｂ１）は押しボタン式入力装置の正面図、（ａ２），（ｂ２）は円柱カムの展開図である。
【発明を実施するための形態】
【００１９】
［基礎形態１］
まず、本発明の実施形態のベースとなる基本形態１の遊技機を、スロットマシンを例に図１〜図１０を参照しつつ説明する。
【００２０】
図１に示したようにスロットマシン１は、前面が開口する箱形の外本体２と、該外本体２の前面に横開きの扉状に回動可能に取り付けられる扉形前面部材３と、複数の図柄を変動させる図柄変動表示装置４と、任意の画像を表示する画像表示装置５と、を有する。
【００２１】
［扉形前面部材］
扉形前面部材３には、表側の下方にメダル用受皿１２が設けられ、また、表側のほぼ中央に操作パネル６が設けられている。この操作パネル６には、メダル投入用の投入口７と、機内のメイン基板（図示せず）のメモリーにデータとして蓄えられているメダルから１枚のみの投入（引き落とし）を指示する１枚投入ボタン８と、同じく１回のゲームで使用可能な最高枚数（例えば３枚）の投入を指示するＭＡＸ投入ボタン９と、機内のメダルセレクタ（図示せず）の中に詰まったメダルをメダル用受皿１２に戻すためのメダル返却ボタン１０と、前記図柄変動表示装置４を作動させる始動レバー１１と、図柄変動表示装置４の各リール４ａ，４ｂ，４ｃを停止させる３個のリール停止ボタン１３ａ，１３ｂ，１３ｃ等が設けられている。
さらに操作パネル６には、中央にボタン装着部１４が設けられていて、そのボタン装着部１４に遊技演出用の押しボタン式入力装置１５が装着されている。
なお、言うまでもなくここに示した操作パネル６の構成は１つの例示であり、これらに限定されるものではない。
【００２２】
［押しボタン式入力装置］
押しボタン式入力装置１５は、操作パネル６の左右方向に長軸を向けた平面視楕円形の外観を呈するものであり、操作パネル６の前記ボタン装着部１４内に固定的に取り付けられる固定基台１６と、その固定基台１６に上下動可能な状態に支持されるボタンユニット１７と、そのボタンユニット１７を上下動させるユニット移動手段１８と、から概略構成される。
【００２３】
［固定基台］
固定基台１６は、楕円形の透明カップ形態であり、その上端周縁に前記ボタン装着部１４の開口縁を隠す装飾的な鍔部１９が形成されており、さらにその鍔部１９の上面に楕円リング状の装飾板２０が重合設置されている。なお、鍔部１９と装飾板２０は、それぞれ透光性を有する合成樹脂で形成されると共にそれぞれの対向面に楕円の中心に向かう放射線状の光拡散用Ｖ字溝２１が刻設されている。
一方、固定基台１６の底部中央には有底円筒形状の運動変換室２２が連設されている。この運動変換室２２は、後述する端面カム３９と回転カムフォロア４０によって回転運動を上下運動に変換するためのスペースであり、大径の上部シリンダー２２ａと、それより小径の下部シリンダー２２ｂを有する段付き円筒形状であって、上部シリンダー２２ａと下部シリンダー２２ｂの境界部が平坦な摺動受面２２ｃになっている。
【００２４】
［ボタンユニット］
前記ボタンユニット１７は、前記固定基台１６に嵌って上下摺動可能且つ回転不能に支持される可動基台２３と、該可動基台２３の上面に上下摺動可能且つ回転不能に装着される可動ボタン２４と、該可動ボタン２４を上向きに付勢するボタン付勢手段たるボタン用スプリング２５と、該可動ボタン２４の押し込みを検知する入力検知手段と、から概略構成されている。
【００２５】
［ボタンユニット−可動基台］
可動基台２３は、前記固定基台１６の内周にほぼ整合する楕円カップ形状で該固定基台１６に嵌って上下摺動可能且つ回転不能に支持されている。この可動基台２３は、前記固定基台１６の内部にすっぽり収まる高さ寸法であり、その周壁２３ａの四箇所に下端固定で上端自由な弾性ラチェット突片２６が突設されている。一方、前記固定基台１６の周壁１６ａには、可動基台２３の前記弾性ラチェット突片２６が入って自由に上下移動可能な縦長開口２７が開設されており、したがって、可動基台２３は、弾性ラチェット突片２６が固定基台１６の縦長開口２７の上縁に当接する位置を上限として固定基台１６の内部で上下方向に移動し得る。なお、固定基台１６の縦長開口２７は、誤って液体が入った場合又は故意に液体が入れられた場合の排水口としても機能する。
また、可動基台２３の底壁２８には、その中央に上向きに開口する楕円受筒２９が突設され、さらに該底壁２８の上面には、照明用のＬＥＤ３０ａ，３０ａ…等を設置する配線基板３０が取り付けられている。
【００２６】
［可動ボタン］
可動ボタン２４は、前記可動基台２３の楕円カップをほぼ逆さにした形状のボタン頭部３１と、そのボタン頭部３１の下側に突設した一回り小さな遊嵌筒部３２と、を備えており、可動基台２３の上面に遊嵌筒部３２が緩やかに嵌った状態で上下摺動可能且つ回転不能に装着されている。
また、可動ボタン２４は、遊嵌筒部３２を横断する補強桁３３の中央に可動基台２３の前記楕円受筒２９に摺動自在に内嵌する下向き開口状の楕円軸筒３４を備えており、この楕円軸筒３４と楕円受筒２９の内部に前記ボタン用スプリング２５が圧縮状態に装填されている。したがって可動ボタン２４は、該ボタン用スプリング２５の付勢により常時上向きに付勢されている。
また、可動ボタン２４は、前記遊嵌筒部３２の四箇所に下向きのアンカー爪３５が形成されており、そのアンカー爪３５が前記可動基台２３の周壁２３ａに開設されたアンカー受孔３６に係合して上方に抜けないようになっている。
【００２７】
［ボタンユニット−入力検知手段］
入力検知手段は、可動ボタン２４の押し込みを検知するためのものであり、図５、図６の拡大図に示したように前記可動ボタン２４の補強桁３３に突設した下向き舌片３７と、発光素子３８ａと受光素子３８ｂを対接させた公知の光学式のセンサー３８と、の組合せであり、発光素子３８ａと受光素子３８ｂの間に下向き舌片３７が入った状態を電気的に検知して可動ボタン２４の押し込みと判断する。
【００２８】
［ユニット移動手段］
ユニット移動手段１８は、前記ボタンユニット１７を上下動させて、図３〜図６のように、可動ボタン２４の頂部がボタン装着部１４から若干上に臨む高さの第１位置と、図７〜図９のように、可動ボタン２４のボタン頭部３１のほぼ全体がボタン装着部１４から突出した高さの第２位置とを切り替え得るようにしたものであり、前記可動基台２３の底壁２８下面に一体成形した端面カム３９と、その端面カム３９に摺接する回転カムフォロア４０と、該回転カムフォロア４０を回転させる正逆回転可能なモーター等の駆動部材４１と、で概略構成される。
【００２９】
［端面カム］
端面カム３９は、図１０（ａ），（ｂ）の展開図に示したように、可動基台２３の楕円の中心を通る軸線を中心として、３つの同じカム面を１２０度間隔で配置したいわゆる３回回転対称の立体カムである。この端面カム３９の１つのカム面は、端から順に、可動基台２３の底壁２８と面一の第１停止面３９ａと、該第１停止面３９ａに対して傾斜する昇降面３９ｂと、ほぼ水平な（厳密には上方に向かって僅かに凹む曲面）第２停止面３９ｃと、該第２停止面３９ｃからほぼ直角下向きに突出する回り止め片３９ｄと、からなる。
【００３０】
［回転カムフォロア］
回転カムフォロア４０は、前記固定基台１６の運動変換室２２に回転可能に設置されており、運動変換室２２の上部シリンダー２２ａに収まる大径部４０ａと、下部シリンダー２２ｂに収まる小径部４０ｂと、前記大径部４０ａから前記端面カム３９の各カム面に向けて突設した３つの摺接片４０ｃと、から概略構成されていて、固定基台１６の運動変換室２２の底面に取り付けられた前記駆動部材４１の回転軸４１ａに直結されている。
【００３１】
その他、図２、図４、図７において符合４２は可動基台２３の底壁２８から垂設した舌片状の検知片、同じく符合４３は前記入力検知手段のセンサー３８と同じ光学式のセンサーであり、この検知片４２とセンサー４３の組み合わせによってボタンユニット１７の位置が検知され、その信号がユニット移動手段１８の制御等に利用される。
【００３２】
［動作説明］
基礎形態１の押しボタン式入力装置１５は、図１０（ａ）のように回転カムフォロア４０の摺接片４０ｃが、端面カム３９の第１停止面３９ａに当接している状態にあるとき、ボタンユニット１７が図３〜図６、図１０（ａ）のように、可動ボタン２４の頂部がボタン装着部１４から若干上に臨む高さの第１位置にある。この第１位置が通常時の状態に設定されており、この状態で遊技者が遊技上必要なタイミングで可動ボタン２４を押し込んで離すと、図６実線のように該可動ボタン２４がボタン用スプリング２５に抗して下降し、その可動ボタン２４の下動が入力検知手段たる可動基台２３のセンサー３８で検知され、さらにボタン用スプリング２５の付勢により元の位置に戻る。
【００３３】
一方、遊技が、例えば特別なステージに移行するなどしたことを契機として、回転カムフォロア４０を図１０（ａ）矢示のように正回転方向に約１２０度回転させると、回転カムフォロア４０の摺接片４０ｃが端面カム３９のカム面を滑って第１停止面３９ａから昇降面３９ｂを経て第２停止面３９ｃの回り止め片３９ｄに至って止まる。これによりボタンユニット１７が可動基台２３ごと第２位置に変化する。なお、ボタンユニット１７の第２位置への変化に合わせて照明用のＬＥＤ３０ａ，３０ａ…を点灯或は点滅させれば、特別なステージに移行したことをより強く華やかに演出することができる。
【００３４】
ボタンユニット１７が第２位置の突出状態にあることが、特別なステージに移行したことのシンボル的な状態であることを知る遊技者は、大きな達成感・満足感を得て可動ボタン２４を例えば手の平で叩くように押し込んで離す。この場合も第１位置と同様であって、図９実線のように該可動ボタン２４がボタン用スプリング２５に抗して下降し、その可動ボタン２４の動きが入力検知手段たる可動基台２３のセンサー３８で検知され、さらにボタン用スプリング２５の付勢により元の位置に戻る。なお、ボタンユニット１７が第２位置にある状態で可動ボタン２４を押し込んだときの下限位置は、図６実線のようにボタン装着部１４の開口より高位置に設定しておくのがよい。そうすることにより、可動ボタン２４を上記のように手の平で叩くように押しても確実に入力することができる。
【００３５】
このように基礎形態１の押しボタン式入力装置１５は、可動ボタン２４の押し込み操作が入力検知手段（下向き舌片３７とセンサー３８）で検知されるに必要な第１位置からの操作ストロークと、同じく可動ボタン２４の押し込み操作が前記入力検知手段で検知されるに必要な第２位置からの操作ストロークとがほぼ同じになる。
【００３６】
［基礎形態２］
図１１（ａ）〜（ｃ）は基礎形態２を示すものである。この基礎形態２は、ユニット移動手段１８によるボタンユニット１７の移動速度を２段階に切り替え得るようにしたものであり、そのために昇降面３９０ｂを急勾配にした端面カム３９０と、回転カムフォロア４００が１組増設されている。
【００３７】
具体的には、基礎形態１の端面カム３９と回転カムフォロア４０の下に高速用の端面カム３９０と回転カムフォロア４００が増設されている。
上段の端面カム３９は基礎形態１と同じであるが、上段の回転カムフォロア４０は、下段の端面カム３９０の上面に摺動可能な状態に載置され且つ駆動部材４１の回転軸４１ａに対して、図１２（ａ）のように回転軸４１ａの外歯４４と回転カムフォロア４０側の軸孔４５の係合段部４６とを、回転軸４１ａの正回転方向の回転に対して噛み合い、逆回転方向の回転に対して空転する噛み合わせに設定すると共に回転軸４１ａの外歯４４をスプライン状に長くして軸方向に摺動可能とし、さらに渦巻バネ等の付勢手段（図示せず）で逆回転方向に付勢されている。
一方、下段の端面カム３９０は、回転軸４１ａに緩やかに嵌って双方向の回転が伝わらず且つ軸方向にのみ摺動し得るように設定されている。
【００３８】
そしてさらに、下段の回転カムフォロア４００は、運動変換室２２の摺動受面２２ｃに回転可能に載置され且つ駆動部材４１の回転軸４１ａに対して、図１２（ｂ）のように回転軸４１ａの外歯４４０と回転カムフォロア４００側の軸孔４５０の係合段部４６０とを、回転軸４１ａの逆回転方向の回転に対して噛み合い、正回転方向の回転に対して空転する噛み合わせに設定され、さらに渦巻バネ等の付勢手段（図示せず）で正回転方向に付勢されている。
なお、基礎形態２の上記以外の構成は、基礎形態１と同じであるため説明を省略する。
【００３９】
基礎形態２のユニット移動手段１８は以上のように構成されているため、駆動部材４１の回転軸４１ａを図１２（ａ）、（ｂ）のように正回転方向に約１２０度回転させると、下段の端面カム３９０と回転カムフォロア４００は、回転軸４１ａの正回転方向に対して噛み合わないため全く動かない。一方、上段の回転カムフォロア４０は、回転軸４１ａの外歯４４０と軸孔４５０の係合段部４６０との噛合関係により図１１（ｂ）のように正回転方向に回転する。これにより基礎形態１と同じ速度でボタンユニット１７が第２位置に変化する。そしてさらに、所定のタイミングで回転軸４１ａが逆回転方向に回転すると、上段の回転カムフォロア４０が巻きバネ等の付勢手段の付勢により逆回転方向に回転して図１１（ａ）の状態に復動する。
【００４０】
次に、駆動部材４１の回転軸４１ａを上記と逆の逆回転方向に約１２０度回転させると、上段の端面カム３９と回転カムフォロア４０は、回転軸４１ａの逆回転方向に対して噛み合わないため全く動かない。一方、下段の回転カムフォロア４００は、回転軸４１ａの外歯４４０と軸孔４５０の係合段部４６０との噛合関係により図１１（ｃ）のように逆回転方向に回転する。これにより基礎形態１より速い速度でボタンユニット１７が第２位置に変化する。そしてさらに、所定のタイミングで回転軸４１ａが正回転方向に回転すると、下段の回転カムフォロア４００が巻きバネ等の付勢手段の付勢により正回転方向に回転して図１１（ａ）の状態に復動する。
【００４１】
以上のように基礎形態２の押しボタン式入力装置１５は、駆動部材４１を正逆回転させることにより、ボタンユニット１７が第１位置から第２位置に変化する速度を切り替えることができる。したがって、遊技の特別なステージへの多様な変化を押しボタン式入力装置１５のボタンユニット１７の速度の変化でさらに効果的に演出することができる。
【００４２】
［基礎形態３］
図１３は、従来技術で説明した押しボタン式入力装置１５に基礎形態の発明を適用して上記した「操作ストロークが長いため、押し込み不足により入力検知手段が正常に作動しなかったり、或は押し込み開始から検知までの時間が長すぎてタイミングを逸する」というような課題を解決し得るようにしたものである。なお、図１３において図２５と同一符合を付した部分については同一又は同機能の要素であるため説明を省略する。
【００４３】
基礎形態３は、前記第２溝壁１１２ｂの上方壁面に、遊技者による可動ボタン１０１の押し込み操作でカムフォロア１１３がカム溝１１２内を下向きに移動するとき接触し得る凸状の制動部１１４を設けたものである。
斯かる構成では、制動部１１４を乗り越えて通過する際カムフォロア１１３に生じる抵抗によってボタンユニット１０３の可動ボタン１０１がボタン用スプリング１０９，１０９の付勢に抗して可動基台１０８に接近し、直ぐさま入力検知手段で検知される。なお、制動部１１４を通過したカムフォロア１１３は、そのまま下まで押し下げられるため、もし制動部１１４を通過する際の抵抗で入力検知手段が作動しなかったとしても、下まで押し切ることで従来技術と同程度の確率ながらも入力検知手段が作動する。
【００４４】
以上のように基礎形態３は、従来型の押しボタン式入力装置１５でありながら、ボタンユニット１０３が第１位置と第２位置のどちらにあっても可動ボタン１０１の押し込み開始から検知までの時間が殆ど変わらず、また、ボタンユニット１０３が第１位置と第２位置のどちらにあっても可動ボタン１０１の押し込みを確実に検知することができる。
【００４５】
以上の基礎形態３の技術的思想は、次のように把握することができる。
［技術的思想］
遊技者用の押しボタン式入力装置を機前のボタン装着部に装着してなる遊技機であって、
前記押しボタン式入力装置は、
機内側から機外側に向けてボタン付勢手段で付勢されると共にその付勢に抗して押し込み可能であり且つその押し込み解除により前記ボタン付勢手段の付勢で復動し得る可動ボタンと、
その可動ボタンと前記ボタン付勢手段とを支持すると共にそれらと一緒にボタンユニットを構成する可動基台と、
前記ボタンユニットを前記可動ボタンの押し込み・復動方向と同方向に移動させて該ボタンユニットを第１位置とそれより突き出た第２位置とに切り替え得るようにしたユニット移動手段と、
前記可動ボタンの前記押し込みを検知する入力検知手段と、を備えており、
前記入力検知手段は、前記ボタンユニットの前記可動基台と前記可動ボタンに設けられ、
前記ボタンユニットは、前記可動基台を付勢する基台付勢手段で前記第２位置に向けて付勢され、
前記ユニット移動手段は、
前記第１位置を下、前記第２位置を上としたとき、
駆動部材で正逆回転可能に制御されると共に前記可動ボタンの移動方向と一致する上下方向に回転軸線を向け且つ側周面に展開状態で上から下に向かって幅広に変化する溝形状のカム溝を有する円柱カムと、
前記ボタンユニットの前記可動基台に設けられて前記円柱カムの前記カム溝及び該円柱カムの下端面に係合するカムフォロアと、を有し、
前記円柱カムは、前記カムフォロアが自己の下端面に係合した状態で前記ボタンユニットを前記基台付勢手段の付勢に抗して前記第１位置に係留させるものであり、
また、前記円柱カムの前記カム溝は、カム面を構成する第１溝壁を上下方向に対して傾斜させる一方、他方の第２溝壁を上下方向にほぼ真っ直ぐ向かわせるように形成され、
さらに前記第２溝壁は、その上方壁面に遊技者による前記可動ボタンの押し込み操作で前記カムフォロアがカム溝内を下向きに移動するとき接触し得る制動部を備えており、その制動部を通過する際カムフォロアに生じる抵抗によって前記ボタンユニットの前記可動ボタンがボタン付勢手段の付勢に抗して前記可動基台に近接して前記入力検知手段で検知されるものであることを特徴とする遊技機。
【００４６】
［基礎形態４］
図１４は、基礎形態３と同様に、従来技術で説明した押しボタン式入力装置１５に本発明を適用して上記した「操作ストロークが長いため、押し込み不足により入力検知手段が正常に作動しなかったり、或は押し込み開始から検知までの時間が長すぎてタイミングを逸する」というような課題を解決し得るようにしたものである。なお、図１４において図２５と同一符合を付した部分については同一又は同機能の要素であるため説明を省略する。
【００４７】
基礎形態４は、第２溝壁１１２ｂの上端に、カムフォロア１１３を受けてボタンユニット１０３の可動基台１０８を第２位置に係留し得る係留段部１１５を設けたものである。
斯かる構成では、カムフォロア１１３がカム溝１１２の上端に到達した図１４（ｂ２）の状態で、円柱カム１１１を正回転方向に回転させることで前記係留段部１１５にカムフォロア１１３を受けさせることができる。カムフォロア１１３が係留段部１１５で受けられた状態では、ボタンユニット１０３が第２位置に係留されるため、ボタンユニット１７が第１位置にあるときと同じ状態で可動ボタン１０１を押し込むことができる。
なお、第２位置にあるボタンユニット１０３を第１位置に変化させる場合は、円柱カム１１１を逆回転方向に回転させればよい。これにより、最初にカムフォロア１１３が係留段部１１５から出て第２溝壁１１２ｂに摺接し、従来と同じ動作でボタンユニット１０３が移動する。
【００４８】
以上の基礎形態４の技術的思想は、次のように把握することができる。
［技術的思想］
遊技者用の押しボタン式入力装置を機前のボタン装着部に装着してなる遊技機であって、
前記押しボタン式入力装置は、
機内側から機外側に向けてボタン付勢手段で付勢されると共にその付勢に抗して押し込み可能であり且つその押し込み解除により前記ボタン付勢手段の付勢で復動し得る可動ボタンと、
その可動ボタンと前記ボタン付勢手段とを支持すると共にそれらと一緒にボタンユニットを構成する可動基台と、
前記ボタンユニットを前記可動ボタンの押し込み・復動方向と同方向に移動させて該ボタンユニットを第１位置とそれより突き出た第２位置とに切り替え得るようにしたユニット移動手段と、
前記可動ボタンの前記押し込みを検知する入力検知手段と、を備えており、
前記入力検知手段は、前記ボタンユニットの前記可動基台と前記可動ボタンに設けられ、
前記ボタンユニットは、前記可動基台を付勢する基台付勢手段で前記第２位置に向けて付勢されており、
前記ユニット移動手段は、
前記第１位置を下、前記第２位置を上としたとき、
少なくとも、駆動部材で正逆回転可能に制御されると共に前記可動ボタンの移動方向と一致する上下方向に回転軸線を向け且つ側周面に展開状態で上から下に向かって幅広に変化する溝形状のカム溝を有する円柱カムと、
前記ボタンユニットの前記可動基台に設けられて前記円柱カムの前記カム溝及び該円柱カムの下端面に係合するカムフォロアと、から構成され、
前記円柱カムは、前記カムフォロアが自己の下端面に係合した状態で前記ボタンユニットを前記基台付勢手段の付勢に抗して前記第１位置に係留させるものであり、
また、前記円柱カムの前記カム溝は、カム面を構成する第１溝壁を上下方向に対して傾斜させる一方、他方の第２溝壁を上下方向にほぼ真っ直ぐ向かわせるように形成され、さらに該第２溝壁の上端に前記カムフォロアを受けて前記ボタンユニットの前記可動基台を前記第２位置に係留し得るものであることを特徴とする遊技機。
【００４９】
以上の基礎形態１〜４の技術的思想は、次のように把握することができる。
［技術的思想］
遊技者用の押しボタン式入力装置を機前のボタン装着部に装着してなる遊技機であって、
前記押しボタン式入力装置は、
機内側から機外側に向けてボタン付勢手段で付勢されると共にその付勢に抗して押し込み可能であり且つその押し込み解除により前記ボタン付勢手段の付勢で復動し得る可動ボタンと、
その可動ボタンと前記ボタン付勢手段とを支持すると共にそれらと一緒にボタンユニットを構成する可動基台と、
前記ボタンユニットを前記可動ボタンの押し込み・復動方向と同方向に移動させて該ボタンユニットを第１位置とそれより突き出た第２位置とに切り替え得るようにしたユニット移動手段と、
前記可動ボタンの前記押し込みを検知するための被検知部とセンサーとを有する入力検知手段と、を備えており、
前記入力検知手段を、前記ボタンユニットの前記可動基台側と前記可動ボタン側に設けることにより、該可動ボタンの押し込み操作が前記入力検知手段で検知されるに必要な前記第１位置からの操作ストロークと、同じく可動ボタンの押し込み操作が前記入力検知手段で検知されるに必要な前記第２位置からの操作ストロークと、がほぼ同じになるようにした遊技機。
［効果］
斯かる遊技機は、可動ボタンの押し込みを検知するための被検知部とセンサーとで構成される入力検知手段を、ボタンユニットの可動基台側と可動ボタン側に設けることにより、該可動ボタンの押し込み操作が入力検知手段で検知されるに必要な第１位置からの操作ストロークと、同じく第２位置からの操作ストロークとがほぼ同じになる。したがって、ボタンユニットが第１位置と第２位置のどちらにあっても可動ボタンの押し込み開始から検知までの時間が殆ど変わらず、また、ボタンユニットが第１位置と第２位置のどちらにあっても可動ボタンの押し込みを確実に検知することができる。
【００５０】
［実施形態］
次に、本発明の実施の形態を遊技機たるスロットマシンを例に図面を参照しつつ説明する。なお、押しボタン式入力装置１１５を除くスロットマシン１の構成は、全て基礎形態１と同じであるため説明を省略する。また、押しボタン式入力装置１１５は、前記基礎形態１をベースにしているため、基礎形態１と同一又は同機能の構成要素にはそれらと同一又はそれらに１００を加えた符合を付す。したがって、基礎形態１と同一又はそれらに１００を加えた符合が付された構成要素であって以下に説明がないものについては、基礎形態１の説明をもって実施形態の説明に代えるものとする。
【００５１】
［押しボタン式入力装置］
押しボタン式入力装置１１５は、要するに、基礎形態１で説明したボタンユニット１７とユニット移動手段１８の組み合わせを台座ボタンユニット１７と第１移動手段１８として備え、さらにこれらを小型化した構成である可動スイッチボタンユニット１１７と第２移動手段（実施形態では第１移動手段１８によって兼用されるが、この点については後述する。）及び第３移動手段１１８との組合せを付加し、それらを一つの駆動部材４１で作動させるようにしたものであり、それらと操作パネル６のボタン装着部１４内に固定的に取り付けられる固定基台１６と、から概略構成される。
【００５２】
［固定基台］
固定基台１６は、基礎形態１と同じ楕円形で基礎形態１より縦に長い透明カップ形態である。
該固定基台１６の底部中央には有底円筒形状の第１運動変換室２２が連設されている。この第１運動変換室２２は、後述する第１端面カム３９と第１回転カムフォロア４０によって回転運動を台座ボタンユニット１７の上下運動に変換するためのスペースであり、大径の上部シリンダー２２ａと、それより小径の下部シリンダー２２ｂを有する段付き円筒形状であって、上部シリンダー２２ａと下部シリンダー２２ｂの境界部が平坦な摺動受面２２ｃになっている。
【００５３】
［台座ボタンユニット］
前記台座ボタンユニット１７は、前記固定基台１６に嵌って上下摺動可能且つ回転不能に支持される可動基台２３と、該可動基台２３の上面に上下摺動可能且つ回転不能に装着される可動台座ボタン２４と、該可動台座ボタン２４を上向きに付勢するボタン付勢手段たるボタン用スプリング２５，２５と、から概略構成されている。
【００５４】
［台座ボタンユニット−可動基台］
可動基台２３は、前記固定基台１６の内周にほぼ整合する楕円カップ形状で該固定基台１６に嵌って上下摺動可能且つ回転不能に支持されている。この可動基台２３は、前記固定基台１６の内部にすっぽり収まる高さ寸法であり、その周壁２３ａの四箇所に下端固定で上端自由な弾性ラチェット突片２６が突設されている。一方、前記固定基台１６の周壁１６ａには、可動基台２３の前記弾性ラチェット突片２６が入って自由に上下移動可能な縦長開口２７が開設されており、したがって、可動基台２３は、弾性ラチェット突片２６が固定基台１６の縦長開口２７の上縁に当接する位置を上限として固定基台１６の内部で上下方向に移動し得る。なお、固定基台１６の縦長開口２７は、誤って液体が入った場合又は故意に液体が入れられた場合の排水口としても機能する。
また、可動基台２３の底壁２８には、楕円の長軸上の左右に上向きのバネ受筒２９が突設され、さらに該底壁２８の上面には、照明用のＬＥＤ（図示せず）等を設置する配線基板３０が取り付けられている。
【００５５】
［可動台座ボタン］
可動台座ボタン２４は、前記可動基台２３の楕円カップをほぼ逆さにした形状のボタン頭部３１と、そのボタン頭部３１の下側に突設した一回り小さな遊嵌筒部３２と、を備えており、可動基台２３の上面に遊嵌筒部３２が緩やかに嵌った状態で上下摺動可能且つ回転不能に装着されている。
また、可動台座ボタン２４は、前記可動基台２３のバネ受筒２９と対向する位置に下向きのバネ軸筒２４０を備えており、このバネ軸筒２４０と前記バネ受筒２９に前記ボタン用スプリング２５が圧縮状態に装填されている。したがって可動台座ボタン２４は、該ボタン用スプリング２５の付勢により常時上向きに付勢されている。
また、可動台座ボタン２４は、図示しないが基礎形態１と同じく前記遊嵌筒部３２の四箇所に下向きのアンカー爪が形成されており、そのアンカー爪が前記可動基台２３の周壁２３ａに開設されたアンカー受孔に係合して上方に抜けないようになっている。
【００５６】
［第１移動手段］
第１移動手段１８は、前記台座ボタンユニット１７を上下動させて、図１７、図１８のように、可動台座ボタン２４の頂部がボタン装着部１４から若干上に臨む高さの第１位置と、図２０のように、可動台座ボタン２４のボタン頭部３１のほぼ全体がボタン装着部１４から突出した高さの第２位置とを切り替え得るようにしたものであり、前記可動基台２３の底壁２８下面に一体成形した第１端面カム３９と、その第１端面カム３９に摺接する第１回転カムフォロア４０と、該第１回転カムフォロア４０を回転させる正逆回転可能なモーター等の駆動部材４１と、で概略構成される。
【００５７】
［第１端面カム］
第１端面カム３９は、可動基台２３の楕円の中心を通る軸線を中心として、３つの同じカム面を１２０度間隔で配置したいわゆる３回回転対称の立体カムである。この第１端面カム３９の１つのカム面は、図２２の展開図の下段に示したように、端から順に、可動基台２３の底壁２８と面一の第１停止面３９ａと、該第１停止面３９ａに対して傾斜する昇降面３９ｂと、ほぼ水平な（厳密には上方に向かって僅かに凹む曲面）第２停止面３９ｃと、該第２停止面３９ｃからほぼ直角下向きに突出する回り止め片３９ｄと、からなり、回り始めから約６０度の回転で昇降面３９ｂが終了し、残りの約６０度は第２停止面３９ｃが続くようになっている。
【００５８】
［第１回転カムフォロア］
第１回転カムフォロア４０は、前記固定基台１６の第１運動変換室２２に回転可能に設置されており、第１運動変換室２２の上部シリンダー２２ａに収まる大径部４０ａと、下部シリンダー２２ｂに収まる小径部４０ｂと、前記大径部４０ａから前記第１端面カム３９の各カム面に向けて突設した３つの摺接片４０ｃと、から概略構成されていて、固定基台１６の第１運動変換室２２の底面に取り付けられた前記駆動部材４１の回転軸４１ａに直結されている。
【００５９】
その他、図１７において符合４２は可動基台２３の底壁２８から垂設した舌片状の検知片、同じく符合４３は前記入力検知手段のセンサー３８と同じ光学式のセンサーであり、この検知片４２とセンサー４３の組み合わせによって台座ボタンユニット１７の位置が検知され、その信号がユニット移動手段１８の制御等に利用される。
【００６０】
［可動スイッチボタンユニットと第２、第３移動手段］
可動スイッチボタンユニット１１７とこれを変位させる第３移動手段１８０は、前記台座ボタンユニット１７と第１移動手段１８を円筒に収まり得る形状に小型化したものであり、したがって台座ボタンユニット１７及び第１移動手段１８と同一又は同機能の構成要素に、それらの符合に１００を加えた符合を付して原則説明を省略し、相違する部分について以下に説明する。なお、可動スイッチボタンユニット１１７を第１位置から第２位置に変位させ又はその逆に変位させる第２移動手段は、後述するように第１移動手段１８によって兼用される。
【００６１】
［可動スイッチボタンユニット］
可動スイッチボタンユニット１１７は、上面の位置が第１位置にある可動台座ボタン２４の上面と略同レベルに設定されると共に平面視で図１６のように可動台座ボタン２４の内側中央に島状に配設されており、該可動台座ボタン２４内で上下方向に変位し得るように収められている。
【００６２】
［第２移動手段］
第２移動手段は、可動スイッチボタン１２４、つまり可動スイッチボタンユニット１１７を前記第１位置から図２０のように前記第２位置に変位させ、また、その逆にも変位させるものであり、本実施形態では可動基台２３に前記第１運動変換室２２に相当する第２運動変換室１２２を一体に形成してそこに可動スイッチボタンユニット１１７を変位させる第３移動手段１１８と可動スイッチボタンユニット１１７とを載せるようになっており、したがって第２運動変換室１２２に載った状態で台座ボタンユニット１７と一緒に可動スイッチボタン１２４も第１位置から第２位置に、又はその逆に変位する。よって実施形態において、可動スイッチボタン１２４を第１位置から第２位置に変位させ又はその逆に変位させる第２移動手段は、台座ボタンユニット１７の第１移動手段１８によって兼用されている。なお、第２移動手段を第１移動手段１８とは別に独立させて設けるようにしてももちろんよい。
【００６３】
［第３移動手段］
第３移動手段１１８は、前記可動スイッチボタンユニット１１７を上下動させて、図２０のように、可動スイッチボタン１２４の上面が可動台座ボタン２４の上面と略同レベルにある状態から、図２１のように、それより外方に突き出た第３位置に変位させるものであり、台座ボタンユニット１７の第１端面カム３９に相当する第２端面カム１３９と、その第２端面カム１３９に摺接する第２回転カムフォロア１４０と、第２回転カムフォロア１４０を回転させる前記駆動部材４１と、で概略構成される。
【００６４】
［第２回転カムフォロアと第２端面カム］
前記第２回転カムフォロア１４０は、駆動部材４１の回転軸４１ａをスプラインシャフトにして軸方向に摺動可能になっており、台座ボタンユニット１７が第１位置から第２位置に移動するとき回転軸４１ａと一緒に回転しながら軸方向に摺動する。
また、第２端面カム１３９は、中心軸線を中心として、３つの同じカム面を１２０度間隔で配置したいわゆる３回回転対称の立体カムである。この第２端面カム１３９の１つのカム面は、図２２の展開図の上段に示したように、端から順に、第１停止面１３９ａと、該第１停止面１３９ａに対して傾斜する昇降面１３９ｂと、ほぼ水平な（厳密には上方に向かって僅かに凹む曲面）第２停止面１３９ｃと、該第２停止面１３９ｃからほぼ直角下向きに突出する回り止め片１３９ｄと、からなり、回り始めから約６０度を第１停止面１３９ａが占め、後半の約６０度を昇降面１３９ｂと第２停止面１３９ｃが占めるようになっている。
【００６５】
［動作説明］
実施形態の押しボタン式入力装置１１５は、図２２のように第１移動手段１８の第１回転カムフォロア４０の摺接片４０ｃが、第１端面カム３９の第１停止面３９ａに当接している状態にあるとき、台座ボタンユニット１７と可動スイッチボタンユニット１１７が図１７、図１８のように、可動台座ボタン２４と可動スイッチボタン１２４の上面がボタン装着部１４から若干上に臨む高さの第１位置にある。この第１位置が通常時の状態に設定されており、この状態で遊技者が遊技上必要なタイミングで可動スイッチボタン１２４を押し込んで離すと、可動スイッチボタン１２４がボタン用スプリング１２５に抗して下降し、その可動スイッチボタン１２４の下動が入力検知手段たるセンサー１３８で検知され、さらにボタン用スプリング１２５の付勢により元の位置に戻る。このとき可動スイッチボタン１２４と一緒に可動台座ボタン２４を押し込むことができるため、使用感としては基礎形態１と殆ど変わらない。
【００６６】
一方、遊技が、例えば特別なステージに移行するなどしたことを契機として、第１回転カムフォロア４０を図２２矢示のように正回転方向に約６０度回転させると、図２３のように下段の第１回転カムフォロア４０の摺接片４０ｃが第１端面カム３９のカム面を滑って第１停止面３９ａから昇降面３９ｂを経て第２停止面３９ｃに至って止まる。これにより台座ボタンユニット１７と可動スイッチボタンユニット１１７が一緒に第２位置に変化する。
一方、下段の第１回転カムフォロア４０と同時に上段の第２回転カムフォロア１４０も正回転方向に約６０度回転するが、その場合、第２回転カムフォロア１４０の摺接片１４０ｃは、図２３のように、第２端面カム１３９の第１停止面１３９ａの終端に至ったところで停止するため、可動スイッチボタンユニット１１７が単独で変位することはない。
なお、台座ボタンユニット１７と可動スイッチボタンユニット１１７の第２位置への変化に合わせて照明用のＬＥＤを点灯或は点滅させれば、特別なステージに移行したことをより強く華やかに演出することができる。
【００６７】
台座ボタンユニット１７と可動スイッチボタンユニット１１７が第２位置の突出状態にあることが、特別なステージに移行したことのシンボル的な状態であることを知る遊技者は、大きな達成感・満足感を得て可動スイッチボタン１２４を指先で又は可動台座ボタン２４と一緒に例えば手の平で叩くように押し込んで離す。この場合も第１位置と同様であって、可動スイッチボタン１２４又はそれと一緒に可動台座ボタン２４がボタン用スプリング２５，１２５に抗して下降し、その可動スイッチボタン１２４の動きが入力検知手段たるセンサー１３８で検知され、さらにボタン用スプリング２５，１２５の付勢により元の位置に戻る。
【００６８】
第２位置にある台座ボタンユニット１７と可動スイッチボタンユニット１１７は、特別なステージが終了すると第１、第２回転カムフォロア４０、１４０が図２３の状態から逆回転方向に約６０度回転して図２２の状態、すなわち第１位置に戻るのであるが、特別なステージが実行されている間にさらに上の最高のステージに移行する場合がある。そうすると、駆動部材４１が図２３の状態から正回転方向にさらに約６０度回転する。これにより図２４の展開図のように上段の第２回転カムフォロア１４０の摺接片１４０ｃが第２端面カム１３９の昇降面１３９ｂを滑るため、可動スイッチボタンユニット１１７が図２１のように第３位置に突出する。なお、このとき下段の回転カムフォロ４０も正回転方向に約６０度回転するが、この第１回転カムフォロア４０の摺接片４０ｃは、下段の第１端面カム３９の第２停止面３９ｃを単に滑るにすぎないため、台座ボタンユニット１７は、第２位置に止まっている。
【００６９】
可動スイッチボタンユニット１１７が第３位置の突出状態にあることが、特別なステージの上の最高のステージに移行したことのシンボル的な状態であることを知る遊技者は、さらに大きな達成感・満足感を得て可動スイッチボタン１２４を指先で又は手の平で叩くように押し込んで離す。この場合も第１位置と同様であって、可動スイッチボタン１２４がボタン用スプリング１２５に抗して下降し、その可動スイッチボタン１２４の動きが入力検知手段たるセンサー１３８で検知され、さらにボタン用スプリング１２５の付勢により元の位置に戻る。
【００７０】
そして、最高のステージが終了すると、第１、第２回転カムフォロア４０、１４０が図２４の状態から逆回転方向に約１２０度回転して先ず可動スイッチボタン１２４が第２位置に戻って可動台座ボタン２４と面一になり、そこから可動スイッチボタン１２４と可動台座ボタン２４が一緒に下がって第１位置に戻る。
【００７１】
以上のように本発明の押しボタン式入力装置１１５は、可動台座ボタン２４と可動スイッチボタン１２４が第１位置から第２位置に変位し、そこからさらに可動スイッチボタン１２４のみが第３位置へと変位するため、演出の幅を格段に広げることができる。
また、基礎形態１と同様に、可動スイッチボタンユニット１１７が、第１位置と第２位置と第３位置のどこにあっても可動スイッチボタン１２４の押し込み開始から検知までの時間が殆ど変わらず、また、可動スイッチボタンユニット１１７が第１位置と第２位置と第３位置のどこにあっても可動スイッチボタン１２４の押し込みを確実に検知することができる。
【００７２】
以上、本発明を基礎形態１〜４と実施形態について説明したが、上記実施形態等は次のようにしてもよい。例えば、実施形態等では遊技機としてスロットマシンを例示したが、パチンコ機、雀球機、アレンジボール機等の弾球遊技機にも適用可能である。なお、パチンコ機に適用する場合ボタン装着部は、パチンコ球を貯留する機前の球皿ユニットの操作パネル（特にその中央）に設けるのが好ましい。
【００７３】
また、実施形態等では押しボタン式入力装置１５、１１５を遊技の演出用の用途に使用したが、演出を目的としない入力装置として使用することもできる。
【００７４】
また、実施形態では、入力検知手段たるセンサー１３８を可動スイッチボタンユニット１１７にのみ設けるようにしたが、実施形態のように可動台座ボタン２４を常時外方に向けて付勢すると共に手で押されて変位した可動台座ボタン２４を自己の付勢で復動させ得るボタン付勢手段を設けた台座ボタンユニット１７にも同様の入力検知手段を設けるようにしてもよい。この場合、可動スイッチボタン１２４と可動台座ボタン２４が第１位置又は第２位置にあるとき、それぞれの入力検知手段のどちらででも入力検知可能な設定としておくことで、一つの大きいボタンスイッチとして取り扱えるから、遊技者が図柄変動表示装置４や画像表示装置５の表示から視線を外すことなく手探りに近い状態ででも正確にボタン操作が行える。また、可動スイッチボタンユニット１１７と台座ボタンユニット１７に別々に設けた入力検知手段を、可動スイッチボタンユニット１１７が第３位置にあるときに可動スイッチボタン１２４と可動台座ボタン２４が独立したスイッチとして入力検知される設定にしておけば、例えば可動スイッチボタン１２４と可動台座ボタン２４の入力順序や、可動スイッチボタン１２４と可動台座ボタン２４を交互に３回叩く、というような入力パターンをゲーム要素に組み込むことができるため、演出の幅をさらに広げることができる。
【００７５】
また、実施形態では、第２位置にある可動台座ボタン２４の上面より外方に突き出た位置を可動スイッチボタン１２４の第３位置としたが、第１移動手段１８と第３移動手段１１８のそれぞれに独立した駆動部材を設けることにより、第１位置にある可動台座ボタン２４に対して可動スイッチボタン１２４をそれより外方に突き出させて第３位置に変位させることもできる。これにより押しボタン式入力装置１１５の形態変化のパターンが増えるため、演出の幅をさらに広げることができる。
【符号の説明】
【００７６】
１  …スロットマシン（遊技機）
１４  …ボタン装着部
１１５  …押しボタン式入力装置
１８  …第１移動手段，第２移動手段
１１８  …第３移動手段
２４  …可動台座ボタン
１２４  …可動スイッチボタン
２５  …ボタン用スプリング（ボタン付勢手段）
１２５…ボタン用スプリング（ボタン付勢手段）
【図１】
2015029549.tif 000003
【図２】
2015029549.tif 000004
【図３】
2015029549.tif 000005
【図４】
2015029549.tif 000006
【図５】
2015029549.tif 000007
【図６】
2015029549.tif 000008
【図７】
2015029549.tif 000009
【図８】
2015029549.tif 000010
【図９】
2015029549.tif 000011
【図１０】
2015029549.tif 000012
【図１１】
2015029549.tif 000013
【図１２】
2015029549.tif 000014
【図１３】
2015029549.tif 000015
【図１４】
2015029549.tif 000016
【図１５】
2015029549.tif 000017
【図１６】
2015029549.tif 000018
【図１７】
2015029549.tif 000019
【図１８】
2015029549.tif 000020
【図１９】
2015029549.tif 000021
【図２０】
2015029549.tif 000022
【図２１】
2015029549.tif 000023
【図２２】
2015029549.tif 000024
【図２３】
2015029549.tif 000025
【図２４】
2015029549.tif 000026
【図２５】
2015029549.tif 000027